(57)【要約】【課題】腕時計に設置された操作部材の操作をより容易なものとすること。【解決手段】腕時計１は、ケース部材１０と、操作部材３０と、ベゼル部４０と、移動部としての溝部３１３及び係合部４３とを備える。ケース部材１０は、文字板２０を収容する。操作部材３０は、ケース部材１０の外側面に引き出し可能に設置され、引き出された状態で操作されることにより、時刻または日付を修正する。ベゼル部４０は、文字板２０の周りに回転可能に設置される。溝部３１３及び係合部４３は、ベゼル部４０が回転されることに応じて、操作部材３０を引き出す方向に移動させる。【選択図】図２
2015068778.tif 000002
【特許請求の範囲】
【請求項１】
文字板を収容するケース部材と、
前記ケース部材の外側面に引き出し可能に設置され、引き出された状態で操作されることにより、時刻または日付を修正する操作部材と、
前記文字板の周りに回転可能に設置された回転部材と、
前記回転部材が回転されることに応じて、前記操作部材を引き出す方向に移動させる移動部と、
を備えることを特徴とする操作部材の移動構造。
【請求項２】
前記回転部材は、周縁部の一部に他の部分に対して欠損した形状の逃げ部を備えることを特徴とする請求項１に記載の操作部材の移動構造。
【請求項３】
前記回転部材は、回転角度に応じて前記操作部材の引き出し量を変化させると共に、前記操作部材の引き出し量に応じて前記欠損した形状の大きさが異なる複数の前記逃げ部を備えることを特徴とする請求項２に記載の操作部材の移動構造。
【請求項４】
前記移動部は、前記操作部材と前記回転部材とにおける一方に形成された溝部に、他方に形成された係合部が係合する構造を有し、前記回転部材が回転されることに応じて、前記操作部材を前記回転部材の回転半径方向に移動させることを特徴とする請求項１から３のいずれか１項に記載の操作部材の移動構造。
【請求項５】
前記回転部材には、螺旋状の前記溝部または前記係合部が形成されていることを特徴とする請求項４に記載の操作部材の移動構造。
【請求項６】
前記移動部は、
前記操作部材を前記ケース部材から突出させる方向に付勢する弾性部材と
前記回転部材の裏面側に形成され、前記操作部材の前記ケース部材からの突出量を規制する規制部と、によって構成されることを特徴とする請求項１から３のいずれか１項に記載の操作部材の移動構造。
【請求項７】
前記回転部材は、前記操作部材を突出させない回転位置において前記操作部材を覆う操作部材保護部を備えることを特徴とする請求項１から６のいずれか１項に記載の操作部材の移動構造。
【請求項８】
請求項１から７のいずれか１項に記載の操作部材の移動構造を備える腕時計。
【発明の詳細な説明】
【技術分野】
【０００１】
本発明は、腕時計に設けられる操作部材の移動構造及び当該操作部材の移動構造を備える腕時計に関する。
【背景技術】
【０００２】
従来、腕時計においては、時間あるいは日付を調整するために、りゅうずと呼ばれる操作部材が備えられている。
りゅうずは、腕時計のケースにおける外側面に設置されたつまみねじ型の操作部材であり、りゅうずを腕時計のケースから引き出して回転させることにより、時間あるいは日付を調整することができる。
このようなりゅうずを備えた腕時計に関する技術は、例えば特許文献１に記載されている。
【先行技術文献】
【特許文献】
【０００３】
【特許文献１】特開２００５−３３７７９２号公報
【発明の概要】
【発明が解決しようとする課題】
【０００４】
しかしながら、腕時計の場合には、ケース自体が小さく、そのため、りゅうずのサイズも小さくなることが一般的である。
このような場合、りゅうずを腕時計のケースから引き出したり、りゅうずを回転させたりする操作は容易ではない。
特に、女性用の腕時計の場合、りゅうずのサイズが小さいことに加え、ネイルを装飾したユーザによって使用されることが多いため、りゅうずの操作がより困難となる。
このように、従来の技術においては、腕時計に設置された操作部材の操作が容易なものではなかった。
【０００５】
本発明は、このような状況に鑑みてなされたものであり、腕時計に設置された操作部材の操作をより容易なものとすることを目的とする。
【課題を解決するための手段】
【０００６】
上記目的を達成するため、本発明の一態様の操作部材の移動構造は、
文字板を収容するケース部材と、前記ケース部材の外側面に引き出し可能に設置され、引き出された状態で操作されることにより、時刻または日付を修正する操作部材と、前記文字板の周りに回転可能に設置された回転部材と、前記回転部材が回転されることに応じて、前記操作部材を引き出す方向に移動させる移動部と、を備えることを特徴とする。
【発明の効果】
【０００７】
本発明によれば、操作部材を容易に回転させることができる操作部材の移動構造及び腕時計を提供することができる。
【図面の簡単な説明】
【０００８】
【図１】本発明の第１実施形態に係る腕時計の概略構成を示す平面図である。
【図２】図１におけるＡ−Ａ断面を示す部分断面図である。
【図３】ベゼル部の第１の逃げ部が操作部材の位置に回転された状態を示す平面図である。
【図４】図３におけるＢ−Ｂ断面を示す部分断面図である。
【図５】ベゼル部の第２の逃げ部が操作部材の位置に回転された状態を示す平面図である。
【図６】図４におけるＣ−Ｃ断面を示す部分断面図である。
【図７】ベゼル部の裏面側の概略的な構造を示す模式図である。
【図８】本発明の第２実施形態に係る腕時計の概略構成を示す平面図である。
【図９】図８におけるＡ’−Ａ’断面を示す部分断面図である。
【図１０】ベゼル部の第１の逃げ部が操作部材の位置に回転された状態を示す平面図である。
【図１１】図１０におけるＢ’−Ｂ’断面を示す部分断面図である。
【図１２】ベゼル部の第２の逃げ部が操作部材の位置に回転された状態を示す平面図である。
【図１３】図１２におけるＣ’−Ｃ’断面を示す部分断面図である。
【図１４】弾性部材を用いて操作部材を突出させる場合のベゼル部の裏面側の概略的な構造を示す模式図である。
【図１５】弾性部材を用いて操作部材を突出させる構造を示す部分断面図（非操作状態）である。
【図１６】弾性部材を用いて操作部材を突出させる構造を示す部分断面図（２段引きの状態）である。
【発明を実施するための形態】
【０００９】
（第１実施形態）
以下、本発明の実施形態について、図面を用いて説明する。
【００１０】
（構成）
図１は、本発明の第１実施形態に係る腕時計１の概略構成を示す平面図である。
図１に示すように、腕時計１は、ケース部材１０と、文字板２０と、操作部材３０と、ベゼル部４０と、カバーガラス５０とを備えている。
【００１１】
ケース部材１０は、腕時計１の外装ケースを構成し、ムーブメント及びバッテリ（不図示）等のパーツを収容する。ケース部材１０は、腕時計１の表側（表示が行われる側）に円柱状の部分（以下、「円柱部１１」と呼ぶ。）を有しており、円柱部１１の内部に円板状の文字板２０が収容されている。また、円柱部１１の外周には、平面視において円環状のベゼル部４０が嵌め込まれている。円柱部１１の外径は、ベゼル部４０の内径と略同一とされており、ベゼル部４０は円柱部１１の周りに回転可能に構成されている。
【００１２】
文字板２０は、ケース部材１０の円柱部１１の内径と略同一の直径を有する円板状の部材であり、板面の周縁部に時刻を表す数字（例えばアラビア数字の１〜１２等）が刻まれている。また、文字板２０の中心に配置された回転軸を中心として、秒針２１、分針２２及び時針２３が回転可能に設置されている。これら秒針２１、分針２２及び時針２３は、不図示のムーブメントによって駆動される。また、文字板２０の所定箇所（図１では３時の数字付近）には、方形の窓２５が形成されている。文字板２０における窓２５の裏面側には、日車２４が配置されており、窓２５を通して、日付を表す数字（図１では５）が表示される。
【００１３】
操作部材３０は、つまみねじ型の部材（後述するりゅうず３１等）を備え、ベゼル部４０がケース部材１０の円柱部１１の周りに回転されることに対応して、後述するようにケース部材１０から突出する構成を有している。操作部材３０は、突出した状態でねじ軸の周りに回転操作されることにより、時刻あるいは日付の調整を行うことが可能となっている。
【００１４】
ベゼル部４０は、ケース部材１０の円柱部１１に設置された平面視において円環状を有する部材であり、円柱部１１の周りに回転可能となっている。ベゼル部４０の外周の一部（以下、「操作部材引き込み部４２」と呼ぶ。）には、外径が他の部分よりも拡大したりゅうず保護部４４が形成されている。操作部材引き込み部４２は、図１では３時の位置となる。また、ベゼル部４０の外周において、りゅうず保護部４４から時計回りに９０度の位置（図１では６時の位置）には、円周部分を半径と直行する直線に沿って切り欠いた第１の逃げ部４５が形成されている。さらに、りゅうず保護部４４と中心を挟んだ反対側の位置（図１では９時の位置）には、円周部分を半径と直行する直線に沿って切り欠いた第２の逃げ部４６が形成されている。第１の逃げ部４５は、第２の逃げ部４６よりも深い切り欠き（即ち、より中心に近い位置までの切り欠き）となっている。
【００１５】
（操作部材の移動構造）
次に、本実施形態における操作部材３０の移動構造について説明する。
図２は、図１におけるＡ−Ａ断面を示す部分断面図である。なお、図１及び図２では、ベゼル部４０のりゅうず保護部４４が操作部材３０の位置に回転された状態（以下、「非操作状態」と呼ぶ。）を示している。
また、図３は、ベゼル部４０の第１の逃げ部４５が操作部材３０の位置に回転された状態を示す平面図、図４は、図３におけるＢ−Ｂ断面を示す部分断面図である。
さらに、図５は、ベゼル部４０の第２の逃げ部４６が操作部材３０の位置に回転された状態を示す平面図、図６は、図４におけるＣ−Ｃ断面を示す部分断面図である。
また、図７は、ベゼル部４０の裏面側の概略的な構造を示す模式図である。
【００１６】
図２に示すように、操作部材３０は、りゅうず３１と巻真３２とによって構成される。操作部材３０は、ケース部材１０の外側面に形成された操作部材３０の受け穴１１２に嵌めこまれている。
りゅうず３１は、さらに、回転操作されるつまみ部３１１と、回転軸となる基部３１２とによって構成される。基部３１２の所定箇所（図２においては基部３１２の略中央）には、基部３１２の他の部分よりも直径が小さい溝部３１３が形成されている。この溝部３１３には、後述するベゼル部４０の係合部４３が係合する。また、基部３１２の先端には、巻真３２の一端が連結されている。巻真３２は、基部３１２の先端からケース部材１０内部に延びる軸部材である。巻真３２の他端は、ケース部材１０を貫通して、ムーブメントに連結されている。また、基部３１２と、基部３１２を受けるケース部材１０側の軸受け部１１３との間には、防水のためのＯリング３１４が介装されている。
【００１７】
図２では、ベゼル部４０の係合部４３が、基部３１２をケース部材１０内部側に最も引き寄せた状態に位置決めしている。このとき、りゅうず保護部４４が操作部材３０を覆って保護した状態となる。
一方、腕時計１は、ベゼル部４０を回転させることによって、基部３１２がケース部材１０の外部側に突出する構造となっている。
即ち、図７に示すように、ベゼル部４０の裏面側には、徐々に半径が変化する螺旋状の係合部４３が形成されており、半径が最も小さい位置（半径Ａ１の位置）がりゅうず保護部４４（操作部材引き込み部４２）の位置、半径が最も大きい位置（半径Ａ３の位置）が第２の逃げ部４６の位置、その中間の位置（半径Ａ２の位置）が第１の逃げ部４５の位置に対応している。
【００１８】
このような構成において、図３に示すように、ベゼル部４０の第１の逃げ部４５が操作部材３０の位置に回転された場合、係合部４３は、基部３１２を最大突出量の半分程度の位置（以下、「１段引きの位置」と呼ぶ。）に位置決めする。このとき、図４に示すように、螺旋状に形成されたベゼル部４０の係合部４３が、図２に示す場合よりも半径の大きい位置で基部３１２の溝部３１３に係合し、操作部材３０をケース部材１０外側に移動させている。
【００１９】
りゅうず３１が１段引きの位置にある場合、つまみ部３１１を回転させると、ムーブメントにおいて時刻の修正が行われる。
また、ベゼル部４０がさらに回転され、図５に示すように、ベゼル部４０の第２の逃げ部４６が操作部材３０の位置に回転された場合、係合部４３は、基部３１２を最大突出量の位置（以下、「２段引きの位置」と呼ぶ。）に位置決めする。このとき、図６に示すように、螺旋状に形成されたベゼル部４０の係合部４３が、図４に示す場合よりも半径の大きい位置で基部３１２の溝部３１３に係合し、操作部材３０をさらにケース部材１０外側に移動させている。
りゅうず３１が２段引きの位置にある場合、つまみ部３１１を回転させると、ムーブメントにおいて日付の修正が行われる。
【００２０】
（動作）
以上のような操作部材の移動構造を備える腕時計１は、以下のように動作をする。
図１に示すように、腕時計１の３時の方向にベゼル部４０のりゅうず保護部４４が位置しているときには、ベゼル部４０裏面の係合部４３は、半径Ａ１の位置で操作部材３０の基部３１２と係合する。このとき、操作部材３０は、ケース部材１０内部側に最も引き込まれた状態（りゅうず３１が引き出されていない状態）にある。即ち、ベゼル部４０のりゅうず保護部４４が腕時計１の３時の位置にある場合、りゅうず３１は非操作状態となる。
【００２１】
次に、ベゼル部４０をケース部材１０に対して反時計回り方向へ回転させ、腕時計１の３時の方向にベゼル部４０の第１の逃げ部４５が位置しているときには、ベゼル部４０裏面の係合部４３は、半径Ａ２の位置で操作部材３０の基部３１２と係合する。このとき、操作部材３０は、１段引きの位置に引き出される。即ち、ベゼル部４０の第１の逃げ部４５が腕時計１の３時の位置にある場合、りゅうず３１は時刻の修正を行う状態となる。
操作部材３０における１段引きの位置は、２段引きの位置より突出量が少ない一方、ベゼル部４０における第１の逃げ部４５が、第２の逃げ部４６よりも深い切り欠きとなっている。そのため、操作部材３０の突出量の少なさが第１の逃げ部４５の切り欠きの深さで補われ、りゅうず３１を回転操作するユーザにとって、操作を容易なものとできる。
【００２２】
次に、ベゼル部４０をケース部材１０に対してさらに反時計回り方向へ回転させ、腕時計１の３時の方向にベゼル部４０の第２の逃げ部４６が位置しているときには、ベゼル部４０裏面の係合部４３は、半径Ａ３の位置で操作部材３０の基部３１２と係合する。このとき、操作部材３０は、２段引きの位置に引き出される。即ち、ベゼル部４０の第２の逃げ部４６が腕時計１の３時の位置にある場合、りゅうず３１は日付の修正を行う状態となる。
ベゼル部４０における第２の逃げ部４６は、第１の逃げ部４５よりも切り欠きが浅い一方、操作部材３０における２段引きの位置は、１段引きの位置より突出量が多くなっている。そのため、操作部材３０の突出によって、ユーザにとっては操作が容易であることから、第２の逃げ部４６は、より浅い切り欠きで足りることとなる。
【００２３】
以上のように構成される腕時計１は、ケース部材１０と、操作部材３０と、ベゼル部４０と、移動部としての溝部３１３及び係合部４３とを備える。
ケース部材１０は、文字板２０を収容する。
操作部材３０は、ケース部材１０の外側面に引き出し可能に設置され、引き出された状態で操作されることにより、時刻または日付を修正する。
ベゼル部４０は、文字板２０の周りに回転可能に設置される。
溝部３１３及び係合部４３は、ベゼル部４０が回転されることに応じて、操作部材３０を引き出す方向に移動させる。
これにより、ベゼル部４０を回転させることにより、操作部材３０を構成するりゅうず３１及び巻真３２を１段引きの位置や２段引きの位置へ移動させることができる。即ち、爪等により、りゅうず３１のつまみ部３１１をつまんで引き出さずに、りゅうず３１をケース部材１０から突出させることができる。
したがって、腕時計に設置された操作部材の操作をより容易なものとすることができる。
【００２４】
また、ベゼル部４０は、周縁部の一部に他の部分に対して欠損した形状（例えば切り欠き形状）の逃げ部を備える。
これにより、操作部材３０が操作される場合に、逃げ部の位置が操作部材３０と対応されることで、操作部材３０をより操作し易くなる。
【００２５】
また、ベゼル部４０は、回転角度に応じて操作部材３０の引き出し量を変化させると共に、操作部材３０の引き出し量に応じて欠損した形状の大きさが異なる複数の逃げ部（第１の逃げ部４５及び第２の逃げ部４６）を備える。
これにより、操作部材３０が複数段に引き出される場合に、その引き出し量に応じた逃げ部の形状とすることができるため、操作部材３０がより操作し易くなる。
【００２６】
また、溝部３１３及び係合部４３は、操作部材３０とベゼル部４０とにおける一方に形成された溝部に、他方に形成された係合部が係合する構造を有し、ベゼル部４０が回転されることに応じて、操作部材３０をベゼル部４０の回転半径方向に移動させる。
これにより、簡単な構造で、ベゼル部４０の回転によって操作部材３０を移動させる構造を実現できる。
【００２７】
また、ベゼル部４０には、螺旋状の溝または係合部が形成されている。
これにより、ベゼル部４０の回転に対応して、徐々に操作部材３０を移動させることができる。
【００２８】
また、ベゼル部４０は、操作部材３０を突出させない回転位置において操作部材３０を覆うりゅうず保護部４４を備える。
これにより、操作部材３０が操作されない状態では、操作部材３０を保護することができる。
【００２９】
（第２実施形態）
次に、本発明の第２実施形態に係る腕時計１Ａについて、図８〜図１３を参照しながら説明する。
（構成）
図８は、本発明の第２実施形態に係る腕時計１Ａの概略構成を示す平面図である。
図８に示すように、本実施形態に係る腕時計１は、ベゼル部４０Ａの形状が、第１実施形態のベゼル部４０の形状と異なっている。具体的には、操作部材引き込み部４２Ａ、第１の逃げ部４５Ａ、第２の逃げ部４６Ａ及び引き出し位置マーク４７Ａの構成が異なっている。
したがって、以下、第１実施形態と同様の構成については、同一の符号を付して第１実施形態の説明を引用することとし、第１実施形態と異なる部分である操作部材引き込み部４２Ａ、第１の逃げ部４５Ａ、第２の逃げ部４６Ａ及び引き出し位置マーク４７Ａについて主として説明する。
【００３０】
図８に示すように、ベゼル部４０Ａは、非操作状態において９時の位置に、ベゼル部４０Ａの半径に沿う直線状の引き出し位置マーク４７Ａを有している。
引き出し位置マーク４７Ａは、ユーザに対して、ベゼル部４０Ａの回転位置を指し示す指標であり、例えば、時刻の修正や日付の修正を行わない場合、引き出し位置マーク４７Ａが９時の位置となるようベゼル部４０Ａが回転される。
本実施形態では、ベゼル部４０Ａにおいて、引き出し位置マーク４７Ａは、非操作状態における９時の位置（第２の逃げ部４６Ａに対応する位置）に形成されているものとするが、非操作状態において３時の位置（ベゼル部４０Ａにおける操作部材引き込み部４２Ａに対応する位置）あるいは６時の位置（ベゼル部４０Ａにおける第１の逃げ部４５Ａに対応する位置）に形成してもよい。この場合、色を異ならせる等、引き出し位置マーク４７Ａの形態を異ならせ、それぞれの位置が非操作状態、１段引きあるいは２段引きに対応していることを識別して示してもよい。
【００３１】
図９は、図８におけるＡ’−Ａ’断面を示す部分断面図である。なお、Ａ’−Ａ’断面は、操作部材引き込み部４２Ａにおける断面を表している。
図９に示すように、Ａ’−Ａ’断面において、ベゼル部４０Ａの上面は、内周側端部から外周側にかけて、幅Ｗ１の平坦部４０１Ａを有し、さらに平坦部４０１Ａからベゼル部４０Ａの外周側端部に向かって傾斜角θ１で傾斜している。
このようなベゼル部４０Ａ上面の構成が、ベゼル部４０Ａの周方向に連続し、第１の逃げ部４５Ａ及び第２の逃げ部４６Ａ以外の部分においては、同様の構成となっている。
【００３２】
図１０は、ベゼル部４０Ａの第１の逃げ部４５Ａが操作部材３０の位置に回転された状態を示す平面図、図１１は、図１０におけるＢ’−Ｂ’断面を示す部分断面図である。
図１０に示すように、ベゼル部４０Ａの第１の逃げ部４５Ａが操作部材３０の位置に回転された場合、係合部４３は、基部３１２を１段引きの位置に位置決めする。このとき、図１１に示すように、螺旋状に形成されたベゼル部４０Ａの係合部４３が、図８に示す場合よりも半径の大きい位置で基部３１２の溝部３１３に係合し、操作部材３０をケース部材１０外側に移動させている。
【００３３】
また、図１１に示すように、Ｂ’−Ｂ’断面において、ベゼル部４０Ａの上面は、内周側端部から外周側にかけて、幅Ｗ１の平坦部４０１Ａを有し、さらに平坦部４０１Ａからベゼル部４０Ａの外周側端部に向かって傾斜角θ２で傾斜している。傾斜角θ２は、図９における傾斜角θ１よりも大きい角度となっている。
そのため、ベゼル部４０Ａの第１の逃げ部４５Ａが操作部材３０の位置に回転された場合、操作部材３０付近のベゼル部４０Ａの肉厚が薄くなっているため、操作部材３０を操作するユーザの指がベゼル部４０Ａと干渉することを抑制できる。
【００３４】
図１２は、ベゼル部４０Ａの第２の逃げ部４６Ａが操作部材３０の位置に回転された状態を示す平面図、図１３は、図１２におけるＣ’−Ｃ’断面を示す部分断面図である。
図１２に示すように、ベゼル部４０Ａの第２の逃げ部４６Ａが操作部材３０の位置に回転された場合、係合部４３は、基部３１２を２段引きの位置に位置決めする。このとき、図１３に示すように、螺旋状に形成されたベゼル部４０Ａの係合部４３が、図１０に示す場合よりも半径の大きい位置で基部３１２の溝部３１３に係合し、操作部材３０をケース部材１０外側に移動させている。
【００３５】
また、図１３に示すように、Ｃ’−Ｃ’断面において、ベゼル部４０Ａの上面は、内周側端部から外周側にかけて、幅Ｗ１の平坦部４０１Ａを有し、さらに平坦部４０１Ａからベゼル部４０Ａの外周側端部に向かって傾斜角θ３で傾斜している。傾斜角θ３は、図９における傾斜角θ１よりも大きく、図１１における傾斜角θ２よりも小さい角度となっている。
そのため、ベゼル部４０Ａの第２の逃げ部４６Ａが操作部材３０の位置に回転された場合、操作部材３０付近のベゼル部４０Ａの肉厚が薄くなっているため、操作部材３０を操作するユーザの指がベゼル部４０Ａと干渉することを抑制できる。
【００３６】
（動作）
以上のような操作部材の移動構造を備える腕時計１Ａは、以下のように動作をする。
図８に示すように、腕時計１Ａの９時の方向にベゼル部４０Ａの引き出し位置マーク４７Ａが位置しているときには、ベゼル部４０Ａ裏面の係合部４３は、半径Ａ１の位置（操作部材引き込み部４２Ａの位置）で操作部材３０の基部３１２と係合する。このとき、操作部材３０は、ケース部材１０内部側に最も引き込まれた状態（りゅうず３１が引き出されていない状態）にある。即ち、ベゼル部４０Ａの引き出し位置マーク４７Ａが腕時計１Ａの３時の位置にある場合、りゅうず３１は非操作状態となる。
【００３７】
次に、ベゼル部４０Ａをケース部材１０に対して反時計回り方向へ回転させ、腕時計１Ａの３時の方向にベゼル部４０Ａの第１の逃げ部４５Ａが位置しているときには、ベゼル部４０Ａ裏面の係合部４３は、半径Ａ２の位置で操作部材３０の基部３１２と係合する。このとき、操作部材３０は、１段引きの位置に引き出される。即ち、ベゼル部４０Ａの第１の逃げ部４５Ａが腕時計１Ａの３時の位置にある場合、りゅうず３１は時刻の修正を行う状態となる。
操作部材３０における１段引きの位置は、２段引きの位置より突出量が少ない一方、ベゼル部４０Ａにおける第１の逃げ部４５Ａが、第２の逃げ部４６Ａよりも上面において大きい傾斜角で傾斜している。そのため、操作部材３０の突出量の少なさが第１の逃げ部４５の傾斜角の大きさで補われ、りゅうず３１を回転操作するユーザにとって、操作を容易なものとできる。
【００３８】
次に、ベゼル部４０Ａをケース部材１０に対してさらに反時計回り方向へ回転させ、腕時計１Ａの３時の方向にベゼル部４０Ａの第２の逃げ部４６Ａが位置しているときには、ベゼル部４０Ａ裏面の係合部４３は、半径Ａ３の位置で操作部材３０の基部３１２と係合する。このとき、操作部材３０は、２段引きの位置に引き出される。即ち、ベゼル部４０Ａの第２の逃げ部４６Ａが腕時計１Ａの３時の位置にある場合、りゅうず３１は日付の修正を行う状態となる。
ベゼル部４０Ａにおける第２の逃げ部４６Ａは、第１の逃げ部４５Ａよりも上面の傾斜角が小さい一方、操作部材３０における２段引きの位置は、１段引きの位置より突出量が多くなっている。そのため、操作部材３０の突出によって、ユーザにとっては操作が容易であることから、第２の逃げ部４６の上面は、より小さい傾斜角で足りることとなる。
【００３９】
以上のように構成される腕時計１は、ケース部材１０と、操作部材３０と、ベゼル部４０と、移動部としての溝部３１３及び係合部４３とを備える。
ベゼル部４０は、回転角度に応じて操作部材３０の引き出し量を変化させると共に、操作部材３０の引き出し量に応じて欠損した形状（例えば傾斜角を異ならせて肉厚を変化させた形状）の大きさが異なる複数の逃げ部（第１の逃げ部４５Ａ及び第２の逃げ部４６Ａ）を備える。
これにより、操作部材３０が複数段に引き出される場合に、その引き出し量に応じた逃げ部の形状とすることができるため、操作部材３０がより操作し易くなる。
【００４０】
（応用例１）
上記実施形態において、操作部材３０を移動させる構造として、ベゼル部４０，４０Ａの裏面に形成された螺旋状の係合部４３が操作部材３０の基部３１２に形成された溝部３１３と係合し、ベゼル部４０，４０Ａの回転に応じて、操作部材３０が突出する例について説明した。
これに対し、ばね等の弾性部材を用いて操作部材３０を移動させる構造とすることもできる。
図１４は、弾性部材を用いて操作部材３０を突出させる場合のベゼル部４０Ｂの裏面側の概略的な構造を示す模式図である。
図１４に示すように、ベゼル部４０Ｂの裏面側には、徐々に外周側の周壁の半径が変化する螺旋状の溝部４３Ｂが形成されている。図１４における半径Ａ１〜Ａ３は、図７に示す半径と対応するものである。なお、溝部４３Ｂの内周側の周壁の半径は一定である。
【００４１】
また、図１５は、弾性部材を用いて操作部材を突出させる構造を示す部分断面図（非操作状態）である。
図１５に示す部分断面図は、図２等と同様の操作部材３０の位置における部分断面図である。
図１５に示すように、ケース部材１０において、ベゼル部４０Ｂの溝部４３Ｂに対向する位置には、外周側の周壁の半径が溝部４３Ｂの最大の半径と同一の溝部１１３Ｂが形成されている。なお、溝部１１３Ｂの内周側の周壁の半径は、溝部４３Ｂの内周側の周壁の半径と同一である。
【００４２】
一方、操作部材３０の基部３１２Ｂには、外径が拡大された円板状の係合部３１３Ｂが設置されている。
この係合部３１３Ｂは、ベゼル部４０Ｂの溝部４３Ｂに進入しており、係合部３１３Ｂと溝部４３Ｂの内周側の周壁との間には弾性部材４０２Ｂが介装されている。ここでは、弾性部材４０２Ｂは、コイルばねによって構成される。
図１５は、溝部４３Ｂの外周側の周壁の半径が最小の状態を示しており、この場合、弾性部材４０２Ｂの弾性力によってケース部材１０の外向きに付勢された係合部３１３Ｂは、溝部４３Ｂにおける半径が最小の外周側の周壁に当接しているため、操作部材３０はケース部材１０から突出する方向に移動しない。即ち、図１５は、非操作状態を表している。
【００４３】
これに対し、ベゼル部４０Ｂを回転させると、徐々に溝部４３Ｂの外周側の周壁の半径が大きくなり、これに伴い、ケース部材１０の外向きに付勢されている係合部３１３Ｂも溝部４３Ｂの外周側の周壁に沿って移動する。即ち、操作部材３０がケース部材１０から突出する方向に移動する。
図１６は、弾性部材を用いて操作部材を突出させる構造を示す部分断面図（２段引きの状態）である。
図１６は、溝部４３Ｂの外周側の周壁の半径が最大の状態を示しており、この場合、弾性部材４０２Ｂの弾性力によってケース部材１０の外向きに付勢された係合部３１３Ｂは、溝部４３Ｂにおける半径が最大の外周側の周壁に当接しているため、操作部材３０はケース部材１０から最も突出した状態（２段引きの状態）となる。なお、図１５の状態と図１６の状態との中間の位置では、操作部材３０は、１段引きの状態となる。
これにより、弾性部材４０２Ｂの付勢力を用いて、ベゼル部４０Ｂを回転させることによって、操作部材３０が突出する構造を実現することができる。
【００４４】
以上のように構成される腕時計１，１Ａは、ケース部材１０と、操作部材３０と、ベゼル部４０と、移動部としての係合部３１３Ｂと、溝部４３Ｂと、弾性部材４０２Ｂとを備える。
弾性部材４０２Ｂは、操作部材３０をケース部材１０から突出させる方向に付勢する。
溝部４３Ｂは、ベゼル部４０，４０Ａの裏面側に形成され、操作部材３０のケース部材１０からの突出量を規制する。
これにより、弾性部材４０２Ｂの付勢力を用いて、ベゼル部４０Ｂを回転させることによって、操作部材３０が突出する構造を実現することができる。
【００４５】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００４６】
上述の実施形態では、ベゼル部４０，４０Ａに係合部４３を形成し、操作部材３０に溝部３１３を形成することとしたが、係合の関係を逆にしてもよい。即ち、ベゼル部４０，４０Ａに溝部を形成し、操作部材３０に係合部を形成することとしてもよい。
また、係合部４３を螺旋状にすることとしたが、これに限られない。即ち、操作部材３０の突出量を１段引き及び２段引きの位置に移動させることができれば、連続的な螺旋状のみならず、係合部４３の途中に半径が一定となる非移動部を設けてもよい。
【００４７】
以下に、本願の出願当初の特許請求の範囲に記載された発明を付記する。
［付記１］
文字板を収容するケース部材と、
前記ケース部材の外側面に引き出し可能に設置され、引き出された状態で操作されることにより、時刻または日付を修正する操作部材と、
前記文字板の周りに回転可能に設置された回転部材と、
前記回転部材が回転されることに応じて、前記操作部材を引き出す方向に移動させる移動部と、
を備えることを特徴とする操作部材の移動構造。
［付記２］
前記回転部材は、周縁部の一部に他の部分に対して欠損した形状の逃げ部を備えることを特徴とする付記１に記載の操作部材の移動構造。
［付記３］
前記回転部材は、回転角度に応じて前記操作部材の引き出し量を変化させると共に、前記操作部材の引き出し量に応じて前記欠損した形状の大きさが異なる複数の前記逃げ部を備えることを特徴とする付記２に記載の操作部材の移動構造。
［付記４］
前記移動部は、前記操作部材と前記回転部材とにおける一方に形成された溝部に、他方に形成された係合部が係合する構造を有し、前記回転部材が回転されることに応じて、前記操作部材を前記回転部材の回転半径方向に移動させることを特徴とする付記１から３のいずれか１つに記載の操作部材の移動構造。
［付記５］
前記回転部材には、螺旋状の前記溝部または前記係合部が形成されていることを特徴とする付記４に記載の操作部材の移動構造。
［付記６］
前記移動部は、
前記操作部材を前記ケース部材から突出させる方向に付勢する弾性部材と
前記回転部材の裏面側に形成され、前記操作部材の前記ケース部材からの突出量を規制する規制部と、によって構成されることを特徴とする付記１から３のいずれか１つに記載の操作部材の移動構造。
［付記７］
前記回転部材は、前記操作部材を突出させない回転位置において前記操作部材を覆う操作部材保護部を備えることを特徴とする付記１から６のいずれか１つに記載の操作部材の移動構造。
［付記８］
付記１から７のいずれか１つに記載の操作部材の移動構造を備える腕時計。
【符号の説明】
【００４８】
１、１Ａ・・・腕時計，１０・・・ケース部材，１１・・・円柱部，１１３・・・軸受け部，２０・・・文字板，２１・・・秒針，２２・・・分針，２３・・・時針，２４・・・日車，２５・・・窓，３０・・・操作部材，３１・・・りゅうず，３２・・・巻真，４０，４０Ａ，４０Ｂ・・・ベゼル部，４２，４２Ａ・・・操作部材引き込み部，４３，３１３Ｂ・・・係合部，４４・・・りゅうず保護部，４５，４５Ａ・・・第１の逃げ部，４６，４６Ａ・・・第２の逃げ部，４７Ａ・・・引き出し位置マーク，５０・・・カバーガラス，３１１・・・つまみ部，３１２・・・基部，３１３，４０１Ｂ，４３Ｂ，１１３Ｂ・・・溝部，４０２Ｂ・・・弾性部材
【図１】
2015068778.tif 000003
【図２】
2015068778.tif 000004
【図３】
2015068778.tif 000005
【図４】
2015068778.tif 000006
【図５】
2015068778.tif 000007
【図６】
2015068778.tif 000008
【図７】
2015068778.tif 000009
【図８】
2015068778.tif 000010
【図９】
2015068778.tif 000011
【図１０】
2015068778.tif 000012
【図１１】
2015068778.tif 000013
【図１２】
2015068778.tif 000014
【図１３】
2015068778.tif 000015
【図１４】
2015068778.tif 000016
【図１５】
2015068778.tif 000017
【図１６】
2015068778.tif 000018